(57)【要約】【課題】部分倍率補正に用いられる回路規模を抑制する。【解決手段】画像形成装置９は、画像データを画素ごとに所定の整数値で分割したビットデータとしての画像信号を生成する画像信号生成部１００と、光源４０１と、光源から出射された光ビームが感光体の表面上を主走査方向に走査するように光ビームを偏向する偏向装置４０５と、偏向された光ビームを感光体の表面上へ結像させるレンズ４０６と、主走査方向における複数の領域それぞれの倍率補正データを示すプロファイルを保存する第一の記憶部３０４と、部分倍率補正開始値を分割する処理単位の大きさである部分倍率粒度を保存する第二の記憶部１２２と、を備え、画像信号生成部は、プロファイルから抽出した部分倍率補正開始値と部分倍率粒度とに基づいて、光ビームにより走査される感光体の表面上の走査領域を主走査方向に部分倍率粒度ごとに分割された主走査位置を表す分割領域境界アドレスを算出する。【選択図】図８
2018086781.tif 000002
【特許請求の範囲】
【請求項１】
記録媒体に画像を形成する画像形成装置であって、
画像データを画素ごとに所定の整数値で分割したビットデータとしての画像信号を生成する画像信号生成部と、
前記画像信号に基づいて光ビームを出射する光源と、
前記光源から出射された前記光ビームが感光体の表面上を主走査方向に走査するように前記光ビームを偏向する偏向装置と、
前記偏向装置により偏向された光ビームを前記感光体の前記表面上へ結像させるレンズと、
前記主走査方向における複数の領域それぞれの倍率補正データを示すプロファイルを保存する第一の記憶部と、
部分倍率補正開始値を分割する処理単位の大きさである部分倍率粒度を保存する第二の記憶部と、
を備え、
前記画像信号生成部は、前記プロファイルから前記部分倍率補正開始値を抽出し、前記部分倍率補正開始値と前記部分倍率粒度とに基づいて、前記光ビームにより走査される前記感光体の前記表面上の走査領域を前記主走査方向に前記部分倍率粒度ごとに分割された主走査位置を表す分割領域境界アドレスを算出することを特徴とする画像形成装置。
【請求項２】
前記プロファイルは、複数のプロファイルを含むことを特徴とする請求項１に記載の画像形成装置。
【請求項３】
前記画像信号生成部は、前記部分倍率補正開始値と前記部分倍率粒度とに基づいて、前記走査領域を複数の分割走査領域に分割する数を算出することを特徴とする請求項１または２に記載の画像形成装置。
【請求項４】
前記画像信号生成部は、前記複数の分割走査領域のそれぞれについて、ビットデータを追加または削除する数および位置を算出することを特徴とする請求項３に記載の画像形成装置。
【請求項５】
前記画像信号生成部は、前記画像データの前記主走査方向のアドレスが前記分割領域境界アドレスになるたびに、前記ビットデータを追加または削除する前記数および前記位置を変更することを特徴とする請求項４に記載の画像形成装置。
【請求項６】
前記部分倍率補正開始値は、前記プロファイルの前記部分倍率の最大値であることを特徴とする請求項１乃至５のいずれか一項に記載の画像形成装置。
【請求項７】
前記部分倍率粒度は、前記所定の整数値と前記最大値とに基づいて求められることを特徴とする請求項６に記載の画像形成装置。
【発明の詳細な説明】
【技術分野】
【０００１】
本発明は、光源から出射される光ビームが感光体の表面上を走査し静電潜像を形成するように光ビームを偏向する回転多面鏡を有する画像形成装置に関する。
【背景技術】
【０００２】
従来、デジタル複写機、レーザビームプリンタ、ファクシミリ装置などの電子写真方式の画像形成装置は、感光体の表面上を光ビームで走査して静電潜像を形成する光走査装置を有する。光走査装置において、光ビームは、画像データに基づいて光源から出射される。光源から出射された光ビームは、回転多面鏡により偏向される。偏向された光ビームは、結像レンズを透過し、感光体の表面上に光スポットとして結像される。感光体の表面上に結像された光スポットは、回転多面鏡の回転に従って感光体の表面上を移動させられ、感光体の表面上に静電潜像を形成する。従来の結像レンズは、ｆθ特性を有する。ｆθ特性とは、回転多面鏡が等角速度で回転している時に光スポットが感光体の表面上を等速で移動するように光ビームを感光体の表面上に結像させる光学的特性である。ｆθ特性を有する結像レンズを用いることにより、適切な露光を行うことができる。しかし、ｆθ特性を有する結像レンズは、比較的大きく、また、コストも高い。そのため、画像形成装置の小型化やコストダウンを目的として、ｆθ特性を有する結像レンズを使用しないこと、または、ｆθ特性を有さない小型で低コストの結像レンズを用いることが考えられる。特許文献１は、ｆθ特性を有さない結像レンズを用いるとともに光源の点灯パターンを制御することにより、感光体の表面上における光スポットの走査位置を補正する画像形成装置を開示している。
【先行技術文献】
【特許文献】
【０００３】
【特許文献１】特開２００５−９６３５１号公報
【発明の概要】
【発明が解決しようとする課題】
【０００４】
しかし、特許文献１に記載の画像形成装置では、主走査方向における光スポットの走査位置を補正するために主走査方向の各画素に対してビットデータを挿入または抜去する（以下、挿抜するともいう）ため、回路の増大でコストアップになるという問題があった。モノクロ１ｂｉｔ、Ａ３サイズの６００ｄｐｉの主走査方向画素数は、約８０００ドットである。例えば、１画素を３２分割とした場合、１画素に対して３２個のビットデータが必要となる。従って、約２５６０００（＝８０００×３２）個のビットデータが必要となり、ビットデータの挿抜数や挿抜位置の設定によっては、さらに回路が増大する。
【０００５】
そこで、本発明は、倍率補正データを示すプロファイル、部分倍率補正開始値および部分倍率粒度に基づいて分割領域境界アドレスを算出することによって、回路規模を抑制することができる画像形成装置を提供する。
【課題を解決するための手段】
【０００６】
本発明の一実施例による記録媒体に画像を形成する画像形成装置は、
画像データを画素ごとに所定の整数値で分割したビットデータとしての画像信号を生成する画像信号生成部と、
前記画像信号に基づいて光ビームを出射する光源と、
前記光源から出射された前記光ビームが感光体の表面上を主走査方向に走査するように前記光ビームを偏向する偏向装置と、
前記偏向装置により偏向された光ビームを前記感光体の前記表面上へ結像させるレンズと、
前記主走査方向における複数の領域それぞれの倍率補正データを示すプロファイルを保存する第一の記憶部と、
部分倍率補正開始値を分割する処理単位の大きさである部分倍率粒度を保存する第二の記憶部と、
を備え、
前記画像信号生成部は、前記プロファイルから前記部分倍率補正開始値を抽出し、前記部分倍率補正開始値と前記部分倍率粒度とに基づいて、前記光ビームにより走査される前記感光体の前記表面上の走査領域を前記主走査方向に前記部分倍率粒度ごとに分割された主走査位置を表す分割領域境界アドレスを算出することを特徴とする。
【発明の効果】
【０００７】
本発明によれば、倍率補正データを示すプロファイル、部分倍率補正開始値および部分倍率粒度に基づいて分割領域境界アドレスを算出することによって、回路規模を抑制することができる。
【図面の簡単な説明】
【０００８】
【図１】画像形成装置の概略図。
【図２】光走査装置の断面図。
【図３】光走査装置の像高に対する部分倍率を示す図。
【図４】画像形成装置における露光制御システムのブロック図。
【図５】ＢＤ信号とＶＤＯ信号のタイミングチャート。
【図６】画像信号生成部のブロック図。
【図７】画像出力部のブロック図。
【図８】分割領域境界アドレスの算出動作を示すフローチャート。
【図９】分割領域境界アドレスの説明図。
【図１０】算出された分割領域境界アドレスを示す表。
【図１１】分割走査領域に応じたビットデータ挿抜の動作を示すフローチャート。
【図１２】ビットデータ挿抜の動作の説明図。
【図１３】第二の実施例による分割領域境界アドレスの算出動作を示すフローチャート。
【発明を実施するための形態】
【０００９】
以下、本発明を実施するための最良の形態について図面を用いて説明する。
【００１０】
＜＜第一の実施例＞＞
＜画像形成装置＞
図１は、画像形成装置９の概略図である。画像形成装置９は、感光体としての感光ドラム４の表面上を光ビームで走査する光走査手段としての光走査装置４００が設けられている。光走査装置４００は、レーザ駆動部３００を有する。レーザ駆動部３００は、画像信号生成部１００から出力される画像信号としてのＶＤＯ信号１１０および制御部１から出力される制御信号３１０に基づき、レーザ光（以下、光ビームという）２０８を出射する。光ビーム２０８は、帯電手段としての帯電器３１により均一に帯電された感光ドラム４の表面上を走査し、感光ドラム４の表面上に静電潜像（以下、潜像という）を形成する。現像手段としての現像器３２は、潜像に現像剤としてのトナーを付着させ、トナー像を形成する。紙などの記録媒体Ｓは、給送ユニット８に収納されている。給送ユニット８からピックアップローラ３３により給送された記録媒体Ｓは、給送ローラ５により感光ドラム４と接触する転写位置へ搬送される。トナー像は、転写位置へ搬送された記録媒体Ｓへ転写ローラ３４により転写される。記録媒体Ｓに転写されたトナー像は、定着器６により加熱および加圧され、記録媒体Ｓに定着される。画像が形成された記録媒体Ｓは、排出ローラ７により、排出トレイ３５へ排出される。
【００１１】
＜光走査装置＞
図２は、光走査装置４００の断面図である。図２（ａ）は、光走査装置４００の主走査断面を示す図である。図２（ｂ）は、光走査装置４００の副走査断面を示す図である。主走査断面は、結像レンズ（結像光学素子）４０６の光軸と主走査方向ＭＳとを含む平面に沿って取った断面である。副走査断面は、結像レンズ４０６の光軸を含み主走査断面に垂直な平面に沿って取った断面である。光走査装置４００は、光源４０１と、偏向装置としての回転多面鏡４０５と、筐体（光学ハウジング）４００ａ（図１）とを備える。光源４０１は、光ビーム２０８を出射する。回転多面鏡４０５は、光源４０１から出射された光ビーム２０８が感光ドラム４の表面（以下、被走査面４０７という）上を走査するように光ビーム２０８を偏向する。筐体４００ａは、光源４０１が取り付けられ、回転多面鏡４０５および光学素子を内部に保持する。本実施例において、光源４０１から出射された光ビーム２０８は、開口絞り４０２により楕円形状に整形されてカップリングレンズ４０３へ入射する。カップリングレンズ４０３を通過した光ビーム２０８は、略平行光に変換されて、アナモフィックレンズ４０４へ入射する。なお、略平行光とは、弱収束光及び弱発散光を含むものである。アナモフィックレンズ４０４は、主走査断面内において正の屈折力を有しており、入射する光ビーム２０８を主走査断面内において収束された光ビーム２０８へ変換する。また、アナモフィックレンズ４０４は、副走査断面内において回転多面鏡４０５の偏向面としての反射面４０５ａの近傍に光ビーム２０８を集光して、主走査方向ＭＳに長い線像を形成する。
【００１２】
アナモフィックレンズ４０４を通過した光ビーム２０８は、回転多面鏡４０５の複数の反射面４０５ａにより偏向される。反射面４０５ａにより偏向された光ビーム２０８は、結像レンズ４０６を透過し、被走査面４０７上に光スポットとして結像される。結像レンズ４０６は、結像光学素子である。本実施例においては、単一の結像光学素子（結像レンズ４０６）のみで結像光学系が構成されている。光ビーム２０８は、結像レンズ４０６により被走査面４０７上に結像され、所定のスポット状の像（光スポット）を形成する。回転多面鏡４０５は、駆動装置としてのモータ３６により矢印Ｒで示す方向に一定の角速度で回転させられる。光スポットは、被走査面４０７上を主走査方向ＭＳに移動し、被走査面４０７上に潜像を形成する。なお、主走査方向ＭＳは、感光ドラム４の表面に平行で且つ感光ドラム４の表面の移動方向（回転方向）に直交する方向である。副走査方向ＳＳは、主走査方向ＭＳ及び光ビーム２０８の光軸に直交する方向である。
【００１３】
光検出器（Ｂｅａｍ  Ｄｅｔｅｃｔｅｒ、以下、ＢＤという）４０９とＢＤレンズ４０８は、被走査面４０７上に潜像を書き込むタイミングを決定する同期信号生成用の光学系である。ＢＤレンズ４０８を通過した光ビーム２０８は、フォトダイオードを含むＢＤ４０９へ入射し検出される。ＢＤ４０９により光ビーム２０８を検出したタイミングに基づいて、光ビーム２０８の書き込みタイミングが制御される。
【００１４】
光源４０１は、半導体レーザチップである。本実施例の光源４０１は、１つの発光部１１（図４）を備えている。しかし、光源４０１として、独立して発光制御可能な複数の発光部を備えていてもよい。複数の発光部を備える場合も、複数の発光部から出射される複数の光ビームは、それぞれカップリングレンズ４０３、アナモフィックレンズ４０４、回転多面鏡４０５及び結像レンズ４０６を経由して被走査面４０７へ到達する。複数の光ビームに対応する複数の光スポットは、被走査面４０７上で副走査方向ＳＳにずれた位置にそれぞれ形成される。なお、光源４０１、カップリングレンズ４０３、アナモフィックレンズ４０４、結像レンズ４０６、回転多面鏡４０５等の各種光学部材は、光走査装置４００の筐体４００ａ（図１）に保持される。
【００１５】
＜結像レンズ＞
図２に示すように、結像レンズ４０６は、入射面（第１面）４０６ａ及び出射面（第２面）４０６ｂの２つの光学面（レンズ面）を有する。結像レンズ４０６は、主走査断面内において、反射面４０５ａにより偏向された光ビーム２０８が結像レンズ４０６を透過して被走査面４０７上を所定の走査特性で走査するように構成されている。また、結像レンズ４０６は、被走査面４０７上での光ビーム２０８の光スポットを所定の形状にするように構成されている。また、結像レンズ４０６は、副走査断面内において反射面４０５ａの近傍と被走査面４０７の近傍とを光学的に共役の関係にする。これにより、面倒れを補償するように構成されている。回転多面鏡４０５の反射面４０５ａが回転多面鏡４０５の回転軸に対して傾いている場合、光ビーム２０８の走査位置は、被走査面４０７上で副走査方向ＳＳにずれる。結像レンズ４０６は、面倒れにより生じる走査位置の副走査方向ＳＳのずれを低減することができる。なお、本実施例による結像レンズ４０６は、射出成形によって形成されたプラスチックモールドレンズであるが、結像レンズ４０６としてガラスモールドレンズを採用してもよい。モールドレンズは、非球面形状の成形が容易であり、かつ大量生産に適している。結像レンズ４０６としてモールドレンズを採用することにより、結像レンズ４０６の生産性及び光学性能の向上を図ることができる。
【００１６】
結像レンズ４０６は、ｆθ特性を有していない、あるいはｆθ特性が従来のｆθレンズよりも弱い。つまり、結像レンズ４０６は、回転多面鏡４０５が等角速度で回転しているときに結像レンズ４０６を通過する光ビームを、被走査面４０７上を等速で移動する光スポットとして結像させるような走査特性を有していない。ｆθ特性を有さない結像レンズ４０６を用いることにより、結像レンズ４０６を回転多面鏡４０５に近接して配置することが可能である。つまり、図２（ａ）に示す回転多面鏡４０５と結像レンズ４０６の間の距離Ｄ１を小さくすることができる。また、ｆθ特性を有さない結像レンズ４０６は、ｆθ特性を有する結像レンズよりも、主走査方向ＭＳにおける結像レンズ４０６の幅ＬＷ及び光軸方向における結像レンズ４０６の厚みＬＴを小さくできる。これにより、光走査装置４００の筐体４００ａ（図１）の小型化が可能である。また、ｆθ特性を有する結像レンズは、主走査断面における結像レンズの入射面および出射面の形状が急峻に変化する部分を有することがある。このような結像レンズは、入射面および出射面の形状の急峻な変化のために、良好な結像性能を得られないことがある。これに対して、ｆθ特性を有さない結像レンズ４０６は、主走査断面における結像レンズ４０６の入射面４０６ａおよび出射面４０６ｂの形状が急峻に変化する部分がないので、良好な結像性能を得ることができる。ｆθ特性を有さない結像レンズ４０６の走査特性は、以下の式（１）で表される。
【数１】
2018086781.tif 000003
【００１７】
ここで、θは、結像レンズ４０６の光軸と回転多面鏡４０５により偏向される光ビーム２０８との間の角度（以下、走査角度という）である。Ｙ［ｍｍ］は、結像レンズ４０６の光軸と被走査面４０７上に結像される光ビーム２０８の光スポットの位置（集光位置）との間の主走査方向ＭＳにおける距離（以下、像高という）である。Ｋ［ｍｍ］は、結像レンズ４０６の光軸上の像高（以下、軸上像高という）における結像係数である。Ｂは、結像レンズ４０６の走査特性を決定する係数（以下、走査特性係数という）である。軸上像高は、結像レンズ４０６の光軸上の像高であるので、走査角度θが０のとき（θ＝０）の像高Ｙ（Ｙ＝０＝Ｙｍｉｎ）である。また、本実施例において、結像レンズ４０６の光軸（θ＝０）からずれた位置（θ≠０）における像高（Ｙ≠０）を軸外像高という。さらに、結像レンズ４０６の光軸（θ＝０）から最も遠い位置（θ＝＋θｍａｘおよびθ＝−θｍａｘ）の像高（Ｙ＝＋ＹｍａｘおよびＹ＝−Ｙｍａｘ）を最軸外像高という。なお、被走査面４０７上の潜像を形成可能な所定の領域（以下、走査領域という）の主走査方向における幅（以下、走査幅という）Ｗは、Ｗ＝｜＋Ｙｍａｘ｜＋｜−Ｙｍａｘ｜で表される。走査領域の中央は、軸上像高である。走査領域の両端部は、それぞれ最軸外像高である。走査領域の走査幅Ｗを走査するために必要な光ビームの偏向角度は、走査画角である。
【００１８】
ここで、結像係数Ｋは、結像レンズ４０６に平行光が入射する場合の走査特性（ｆθ特性）Ｙ＝ｆθにおけるｆに相当する係数である。すなわち、結像係数Ｋは、結像レンズ４０６に平行光以外の光が入射する場合に、ｆθ特性と同様に像高Ｙと走査角度θとを比例関係にするための係数である。走査特性係数Ｂについて補足すると、Ｂ＝０の時の式（１）は、Ｙ＝Ｋθとなるため、従来の光走査装置に用いられる結像レンズの走査特性Ｙ＝ｆθ（等距離射影方式）に相当する。また、Ｂ＝１の時の式（１）は、Ｙ＝Ｋｔａｎθとなるため、撮像装置（カメラ）などに用いられるレンズの射影特性Ｙ＝ｆｔａｎθ（中心射影方式）に相当する。すなわち、式（１）において、走査特性係数Ｂを０≦Ｂ≦１の範囲で設定することで、射影特性Ｙ＝ｆｔａｎθとｆθ特性Ｙ＝ｆθとの間の走査特性を得ることができる。
【００１９】
ここで、式（１）を走査角度θで微分すると、次式（２）に示すように走査角度θに対する被走査面４０７上での光ビームの走査速度ｄＹ／ｄθが得られる。
【数２】
2018086781.tif 000004
式（２）によれば、軸上像高（θ＝０）における走査速度ｄＹ／ｄθは、走査角度θが０（θ＝０）であるので、Ｋとなる。さらに、式（２）を軸上像高における走査速度ｄＹ／ｄθ＝Ｋで除すると、次式（３）に示すようになる。
【数３】
2018086781.tif 000005
式（３）は、軸上像高の走査速度Ｋに対する軸外像高の走査速度ｄＹ／ｄθのずれ量（部分倍率）を表している。本実施例において、像高Ｙにおける部分倍率は、軸上像高の走査速度Ｋに対する軸外像高の走査速度ｄＹ／ｄθの比率（（ｄＹ／ｄθ）／Ｋ）の１に対するずれ量（（ｄＹ／ｄθ）／Ｋ−１）の百分率［％］で表わされる。本実施例の結像レンズ４０６を用いた光走査装置４００から出射される光ビーム２０８の走査速度は、走査特性係数Ｂが０（Ｂ＝０）である場合を除いて、軸上像高（Ｙ＝０＝Ｙｍｉｎ）と軸外像高Ｙ（Ｙ≠０）とで異なる。
【００２０】
図３は、光走査装置４００の像高Ｙ［ｍｍ］に対する部分倍率［％］を示す図である。図３は、被走査面４０７上での像高ＹがＹ＝Ｋθの走査特性で示される場合の像高Ｙと部分倍率との関係を示している。結像レンズ４０６がＹ＝Ｋθの走査特性を有する場合、図３に示すように、軸上像高（Ｙ＝０）からそれぞれの最軸外像高（Ｙ＝＋ＹｍａｘおよびＹ＝−Ｙｍａｘ）へ向かって部分倍率が大きくなる。これは、軸上像高から最軸外像高へ行くにつれて徐々に走査速度が速くなるためである。例えば、部分倍率３０％は、主走査方向に単位時間だけ光ビームが走査された場合、光ビームにより走査される被走査面４０７上の主走査方向の長さ（以下、走査長という）が、軸上像高における走査長の１．３倍になることを意味する。従って、画像クロックの周期により決定される一定の時間間隔に基づいて主走査方向の画素幅を決定すると、一画素あたりの走査長が軸上像高（Ｙ＝０）と軸外像高（Ｙ≠０）とで異なってしまう。そのため、軸外像高（Ｙ≠０）での主走査方向における一画素あたりの走査長は、軸上像高（Ｙ＝０）での主走査方向における一画素あたりの走査長より長くなり、像高（主走査方向の位置）に従って画素密度が変化する。また、像高Ｙが、軸上像高から離れて最軸外像高に近づくに連れて（像高Ｙの絶対値が大きくなる程）、徐々に走査速度が速くなる。従って、最軸外像高付近の光スポットが被走査面４０７の単位長さを走査するのにかかる時間は、軸上像高付近の光スポットが被走査面４０７の単位長さを走査するのにかかる時間より短い。これは、光源４０１の発光輝度が一定の場合、像高が最軸外像高付近の単位長さ当たりの露光量が軸上像高付近の単位長さ当たりの露光量より少なくなることを意味する。
【００２１】
上述のような走査特性を有する結像レンズ４０６の場合、主走査位置に従う部分倍率のばらつき及び主走査位置に従う単位長さ当たりの露光量のばらつきが、良好な画質を維持するために望ましくない影響を及ぼす可能性がある。そこで、本実施例では、良好な画質を得るために、部分倍率の補正と、単位長さ当たりの露光量を補正するための輝度補正とを行う。特に、回転多面鏡４０５から感光ドラム４までの光路長が短くなる程、走査画角が大きくなるため、軸上像高における走査速度と最軸外像高における走査速度との差が大きくなる。発明者の鋭意検討によれば、光走査装置４００を小型化した場合、最軸外像高における走査速度が軸上像高における走査速度の１２０％以上になることが分かった。この場合、光走査装置４００の走査速度の変化率は、２０％以上である。このような光走査装置４００の場合、主走査位置に従う部分倍率のばらつき及び主走査位置に従う単位長さ当たりの露光量のばらつきの影響を受け良好な画質の維持が難しくなる。
【００２２】
なお、走査速度の変化率Ｃ（％）は、最も遅い走査速度をＶｍｉｎ、最も速い走査速度をＶｍａｘとすると、Ｃ＝（（Ｖｍａｘ−Ｖｍｉｎ）／Ｖｍｉｎ）＊１００で表される値である。本実施例の光走査装置４００において、走査速度は、軸上像高（走査領域の中央）で最も遅い走査速度Ｖｍｉｎになり、最軸外像高（走査領域の両端部）で最も速い走査速度Ｖｍａｘになる。なお、発明者の鋭意検討によれば、走査画角が５２°以上である場合、走査速度の変化率が３５％以上になることがわかっている。走査画角が５２°以上となる条件の例は、以下の通りである。
・例１  Ａ４シートの短辺の幅を有する潜像を主走査方向に形成する場合、走査幅Ｗは、２１４ｍｍである（Ｗ＝２１４ｍｍ）。走査角が０°の時の反射面４０５ａから被走査面４０７までの光路長Ｄ２（図２）は、１２５ｍｍ以下である（Ｄ２≦１２５ｍｍ）。
・例２  Ａ３シートの短辺の幅を有する潜像を主走査方向に形成する場合、走査幅Ｗは、３００ｍｍである（Ｗ＝３００ｍｍ）。走査角が０°の時の反射面４０５ａから被走査面４０７までの光路長Ｄ２（図２）は、２４７ｍｍ以下である（Ｄ２≦２４７ｍｍ）。
このような条件を満たす光走査装置４００を有する画像形成装置は、以下に説明する本実施例を適用することにより、ｆθ特性を有さない結像レンズ４０６を用いて良好な画質を得ることが可能となる。
【００２３】
＜露光制御システム＞
図４は、画像形成装置９における露光制御システム３０１のブロック図である。画像信号生成部１００は、画像出力部１０１とＣＰＵ１０２とを有する。画像信号生成部１００は、ＣＰＵ１０２による制御の下で種々の動作を行うように構成されている。画像出力部１０１は、システムバス１０３によりＣＰＵ１０２に接続されている。画像信号生成部１００は、ホストコンピュータ（不図示）から印刷ジョブ等の情報を受け取り、情報の画像データに従って画像信号としてのＶＤＯ信号１１０を生成する。また、画像信号生成部１００は、画素幅補正手段としての機能を有する。制御部１は、画像形成装置９を制御する。また、制御部１は、光源４０１の光量を制御する輝度補正手段としての機能を有する。レーザ駆動部３００は、ＶＤＯ信号１１０に基づいて電流を光源４０１へ供給し、光源４０１から光ビームを出射させる。
【００２４】
画像信号生成部１００は、画像形成のためのＶＤＯ信号１１０の出力の準備が整った段階で、シリアル通信１１３を介して、印刷開始を指示する信号を制御部１へ送信する。制御部１は、印刷の準備が整った段階で、記録媒体の先端部の位置情報を通知するための副走査同期信号であるＴＯＰ信号１１２と、記録媒体の左端部の位置情報を通知するための主走査同期信号であるＢＤ信号１１１とを画像信号生成部１００へ送信する。画像信号生成部１００は、ＴＯＰ信号１１２およびＢＤ信号１１１を受信すると、所定のタイミングでＶＤＯ信号１１０をレーザ駆動部３００へ出力する。
【００２５】
次に、画像をよりよくするための輝度補正を説明する。制御部１は、集積回路（以下、ＩＣという）３を有する。ＩＣ３は、ＣＰＵ２と、８ビットのデジタル信号２０をアナログ信号へ変換するＤＡコンバータ（以下、ＤＡＣという）２１と、レギュレータ２２とを内蔵している。ＩＣ３は、レーザ駆動部３００とともに輝度補正手段として機能する。レーザ駆動部３００は、メモリ３０４と、電圧を電流へ変換するＶＩ変換回路３０６と、レーザドライバＩＣ１９と、光源４０１を有する。レーザ駆動部３００は、光源４０１のレーザダイオードである発光部１１へ駆動電流ＩＬを供給する。メモリ（第一の記憶部）３０４には、複数の像高（主走査方向における複数の位置）に対応する部分倍率を含む部分倍率特性情報（プロファイル）と、発光部１１へ供給される補正電流の情報とが保存されている。部分倍率特性情報は、主走査方向における複数の領域それぞれの部分倍率を補正するための倍率補正データを示すプロファイルであるとよい。なお、部分倍率特性情報は、複数の領域それぞれの像高（主走査方向における位置）に対応する被走査面４０７上の光スポットの走査速度を含む情報（倍率補正データ）であってもよい。
【００２６】
ＣＰＵ２の制御に基づき、メモリ３０４に保存された情報は、シリアル通信３０７を介してＩＣ３へ送信される。メモリ３０４に保存された発光部１１へ供給される補正電流の情報に従って、ＩＣ３は、レギュレータ２２から出力される電圧（ＶｒｅｆＨ）２３を調整する。電圧２３は、ＤＡＣ２１の基準電圧となる。ＩＣ３は、ＤＡＣ２１へ入力される８ビットのデジタル信号（入力データ）２０を設定し、ＢＤ信号１１１に同期して、主走査内で増加減する輝度補正用のアナログ電圧（以下、輝度補正アナログ電圧という）３１２を出力する。主走査区間内で増加または減少する輝度補正アナログ電圧３１２は、電圧／電流変換回路（以下、ＶＩ変換回路という）３０６へ入力される。ＶＩ変換回路３０６は、輝度補正アナログ電圧３１２を電流Ｉｄ３１３へ変換し、レーザドライバＩＣ１９へ出力する。なお、本実施例では、制御部１に実装されたＩＣ３が輝度補正アナログ電圧３１２を出力するが、レーザ駆動部３００上にＤＡＣ２１を設けて、レーザドライバＩＣ１９の近傍で輝度補正アナログ電圧３１２を生成してもよい。
【００２７】
レーザドライバＩＣ１９は、ＶＤＯ信号１１０に従って駆動電流ＩＬを発光部１１へ流すか、ダミー抵抗１０へ流すかを切換回路１４により切り換える。切換回路１４は、ＶＤＯ信号に従って光源４０１の発光のＯＮ／ＯＦＦを制御する。発光部１１へ供給される駆動電流ＩＬ（第３電流）は、定電流回路１５で設定された電流Ｉａ（第１電流）からＶＩ変換回路３０６により出力される電流Ｉｄ（第２電流）を差し引いた電流である。フォトダイオード（光電変換素子）１２は、光源４０１に設けられ、発光部１１の輝度（光量）を検出する。定電流回路１５を流れる電流Ｉａは、フォトダイオード１２により検出される輝度が所定の輝度になるように、レーザドライバＩＣ１９の内部回路によるフィードバック制御で自動調整される。発光部１１の光量の自動調整は、いわゆる自動光量制御ＡＰＣ（Ａｕｔｏ  Ｐｏｗｅｒ  Ｃｏｎｔｒｏｌ）である。電流Ｉａの自動調整による発光部１１の輝度調整は、主走査毎に印刷領域外でＢＤ信号を検出するために発光部１１を発光させている間に実施される。可変抵抗１３の値は、発光部１１が所定の輝度で発光している場合に、所定の電圧がフォトダイオード１２からレーザドライバＩＣ１９へ入力されるように、工場組立て時に調整される。
【００２８】
図５は、ＢＤ信号（同期信号）とＶＤＯ信号（画像信号）のタイミングチャートである。図５（ａ）は、記録媒体の１ページ分に相当する画像形成動作におけるＴＯＰ信号、ＢＤ信号およびＶＤＯ信号のタイミングチャートである。図５（ａ）において、左から右へ向かって時間が経過する。ＴＯＰ信号１１２の「ＨＩＧＨ」は、記録媒体の先端部が所定の位置に到達したことを表す。画像信号生成部１００は、ＴＯＰ信号１１２の「ＨＩＧＨ」を受信すると、ＢＤ信号１１１に同期して、ＶＤＯ信号１１０を出力する。ＶＤＯ信号１１０に基づいて、光源４０１が発光し感光ドラム４の表面上に潜像を形成する。なお、図５（ａ）は、図示を簡略化するために、ＶＤＯ信号１１０が複数のＢＤ信号１１１を跨いで連続的に出力されているように描かれている。しかし、実際には、ＶＤＯ信号１１０は、ＢＤ信号１１１が出力されてから次のＢＤ信号１１１が出力されるまでの間のうちの所定の期間に出力される（図５（ｂ））。
【００２９】
＜＜部分倍率補正＞＞
次に、部分倍率を補正する方法を説明する。部分倍率補正の説明に先立ち、図５（ｂ）を用いて、部分倍率の要因および補正原理を説明する。図５（ｂ）は、ＢＤ信号１１１とＶＤＯ信号１１０とのタイミングチャート、及び、被走査面４０７上に形成される潜像を示す説明図である。図５（ｂ）において、左から右へ向かって時間が経過する。画像信号生成部１００は、ＢＤ信号１１１の立ち上がりエッジを受信すると、感光ドラム４の左端から所定の距離だけ離れた書き出し位置から潜像の形成を開始できるよう、所定の時間後にＶＤＯ信号１１０を出力する。レーザドライバＩＣ１９は、ＶＤＯ信号１１０に基づいて光源４０１の発光のＯＮ／ＯＦＦを制御し、被走査面４０７上にＶＤＯ信号１１０に従って潜像を形成する。
【００３０】
図５（ｂ）に示すドット形状の潜像Ａ（潜像ｄｏｔ１、潜像ｄｏｔ２）は、最軸外像高および軸上像高においてＶＤＯ信号１１０に基づいて同じ期間だけ光源４０１を発光させて形成される。潜像ｄｏｔ１および潜像ｄｏｔ２は、６００ｄｐｉの１ドット（主走査方向に４２．３μｍの幅）に相当するＶＤＯ信号１１０に基づいて、それぞれ形成される。光走査装置４００は、上述したように、被走査面４０７上の中央（軸上像高）の走査速度に比べて端部（最軸外像高）の走査速度が速い光学構成を備える。部分倍率補正を実行しない場合、図５（ｂ）に示す潜像Ａ（潜像ｄｏｔ１、潜像ｄｏｔ２）から明らかなように、軸上像高の潜像ｄｏｔ２に比べて、最軸外像高の潜像ｄｏｔ１が主走査方向に拡大する。そこで、主走査方向の位置に応じてＶＤＯ信号１１０の周期や時間幅を補正することにより部分倍率補正を実行する。具体的には、最軸外像高の発光時間間隔を軸上像高の発光時間間隔に比べて短くして、最軸外像高の潜像ｄｏｔ１の主走査方向の長さを短くすることにより、部分倍率補正を実行する。部分倍率補正を実行した場合、図５（ｂ）に示す潜像Ｂ（潜像ｄｏｔ３、潜像ｄｏｔ４）のように、最軸外像高の潜像ｄｏｔ３の主走査方向の長さは、軸上像高の潜像ｄｏｔ４の主走査方向の長さと同じになる。部分倍率補正により、主走査方向に関して、主走査の両端部では各画素の実質的周期を短くし、主走査の中央では画素の実質的周期を長くすることができる。これにより、ｆθ特性を有さない結像レンズ４０６を用いた画像形成装置９であっても、正常な画像を形成することができる。
【００３１】
（画像信号生成部）
次に、本実施例の画像信号生成部１００の制御方法を説明する。図６は、画像信号生成部１００のブロック図である。画像信号生成部１００は、画像データを画素ごとに所定の整数値（本実施例において３２）で分割したビットデータとしてのＶＤＯ信号１１０を生成する。画像信号生成部１００は、画像出力部１０１、ＣＰＵ１０２、ＲＯＭ１０４、ＲＡＭ１０５、制御部インターフェース（以下、Ｉ／Ｆという）１０６、画像処理部１０７およびクロック生成部１０８を有する。システムバス１０３は、画像出力部１０１、ＣＰＵ１０２、ＲＯＭ１０４、ＲＡＭ１０５、制御部Ｉ／Ｆ１０６及び画像処理部１０７を接続する。ＣＰＵ１０２は、画像信号生成部１００を制御する。ＲＯＭ１０４は、制御プログラムを格納する。ＲＡＭ１０５は、ＲＯＭ１０４の制御プログラムが展開され、また、ＣＰＵ１０２のワークメモリとして動作する。制御部Ｉ／Ｆ１０６は、制御部１とシリアル通信１１３を行う。クロック生成部１０８は、位相同期回路（ＰＬＬ）を含み、画像出力クロックおよびビットデータ挿抜クロックを出力する。ここで、ビットデータ挿抜クロックは、画像出力クロックの整数倍である。１画素は、所定の整数値で分割される。１画素は、所定の整数値の数のビットデータからなる。ビットデータ挿抜クロックは、画像出力クロックの所定の整数値の倍数の周波数を有する。例えば、本実施例において、１画素は、３２個のビットデータに分割されているので、ビットデータ挿抜クロックは、画像出力クロックの３２倍の周波数を有する。所定の整数値は、３２に限定されるものではなく、８、１６、６４などの任意の整数値であってもよい。
【００３２】
図７は、画像出力部１０１のブロック図である。画像出力部１０１は、ビットデータ制御部１２０および。パラレル−シリアル変換部１３０を有する。ビットデータ制御部１２０は、ビットデータの挿抜を制御する。ビットデータ制御部１２０は、ビットデータ挿抜変換テーブル１２１、部分倍率粒度格納部１２２および分割領域境界アドレス制御部１２３を有する。ビットデータ挿抜変換テーブル１２１は、ビットデータ挿抜パターンを変換する。部分倍率粒度格納部（第二の記憶部）１２２は、部分倍率粒度を格納する。部分倍率粒度は、部分倍率補正開始値（部分倍率の最大値）を分割する処理単位の大きさである。分割領域境界アドレス制御部１２３は、主走査方向における分割領域境界アドレスを制御する。パラレル−シリアル変換部１３０は、画像処理部１０７からの画像データ（パラレルデータ）をシリアルデータであるＶＤＯ信号１１０へ変換する。
【００３３】
次に、図８、図９および図１０を用いて、分割領域境界アドレスの算出動作を説明する。本実施例における設定および制御の動作手順は、画像信号生成部１００のＲＯＭ１０４に格納もしくはＲＡＭ１０５に展開された制御プログラムに基づいてＣＰＵ１０２により実行される。図８は、分割領域境界アドレスの算出動作を示すフローチャートである。画像形成装置９が起動されると（Ｓ８０１）、画像信号生成部１００は、制御部１にプロファイルを要求する（Ｓ８０２）。ここで、プロファイルとは、像高に対する部分倍率の情報である（図３）。プロファイルは、主走査方向における複数の領域それぞれの倍率補正データを示す。画像信号生成部１００がプロファイルを受信すると（Ｓ８０３でＹＥＳ）、プロファイルから部分倍率補正開始値すなわち部分倍率の最大値を抽出する（Ｓ８０４）。次に、画像信号生成部１００は、部分倍率粒度格納部１２２に格納された部分倍率粒度と部分倍率補正開始値に基づいて、主走査位置における部分倍率粒度ごとの分割領域境界アドレスを算出する（Ｓ８０５）。分割領域境界アドレスは、光ビームにより走査される感光体の表面上の走査領域を主走査方向に部分倍率粒度ごとに分割された位置（主走査位置）を表す。
【００３４】
図９を用いて、分割領域境界アドレスの算出を説明する。図９は、分割領域境界アドレスの説明図である。分割領域境界アドレスは、部分倍率粒度により分割された走査領域の境界の主走査方向の位置を示すアドレスである。部分倍率粒度により分割された走査領域ごとに、ビットデータ挿抜パターンが設定される。すなわち、分割領域境界アドレスは、ビットデータ挿抜パターンが変更される主走査方向における位置（以下、主走査位置という）を示す。図９に示す実施例において、部分倍率補正開始値（部分倍率の最大値）は３６％であり、部分倍率粒度は３％である。部分倍率粒度の３％は、前述のビットデータ挿抜クロックが画像出力クロックの３２倍の周波数であるという設定に基づいて算出される。すなわち、１画素を３２で分割した割合である（１／３２＝約３％）。本実施例において、１画素は、３２個のビットデータからなるので、１画素に１個のビットデータを挿抜することにより約３％だけ走査領域の長さが変化する。３６％の部分倍率補正開始値と３％の部分倍率粒度に基づいて、最初の分割走査領域１と次の分割走査領域２の境界（分割領域境界）の主走査位置（分割領域境界アドレス）は、３６％から３％だけ変化した３３％の部分倍率の位置となる。分割走査領域２とその次の分割走査領域３の境界の主走査位置（分割領域境界アドレス）は、３３％から３％だけ変化した３０％の部分倍率の位置となる。これを繰り返して、分割領域境界アドレスを算出する。主走査方向における中央（像高０ｍｍ）を越えた後は、部分倍率が＋３％だけ変化するごとに分割領域境界アドレスを算出する。
【００３５】
図１０は、算出された分割領域境界アドレスを示す表である。分割走査領域１と分割走査領域２との間の分割領域境界は、部分倍率が３３％である主走査位置である。分割走査領域が分割走査領域１から分割走査領域２へ変更される分割領域境界アドレスは、部分倍率が３３％である主走査位置に相当する画像データのアドレスである。同様に、分割走査領域２と分割走査領域３との間の分割領域境界は、部分倍率が３０％である主走査位置である。分割走査領域が分割走査領域２から分割走査領域３へ変更される分割領域境界アドレスは、部分倍率が３０％である主走査位置に相当する画像データのアドレスである。このようにして、分割領域境界に対応する分割領域境界アドレスが算出される。本実施例では、３６％の部分倍率補正開始値と３％の部分倍率粒度により、走査領域は、２４個（３６÷３×２＝２４）の分割走査領域に分割される。従来の技術においては、Ａ３サイズの６００ｄｐｉの主走査方向画素数分の約８０００個の分割走査領域が必要とされる。これに対して、本実施例によれば、２４個の分割走査領域のみで十分であるので、分割走査領域に必要な回路規模が削減される。
【００３６】
次に、図１１および図１２を用いて、ビットデータ挿抜の動作を説明する。図１１は、分割走査領域に応じたビットデータ挿抜の動作を示すフローチャートである。本実施例における設定および制御の動作手順は、画像信号生成部１００のＲＯＭ１０４に格納もしくはＲＡＭ１０５に展開された制御プログラムに基づいて、画像信号生成部１００のＣＰＵ１０２により実行される。前述のように、部分倍率補正開始値（部分倍率の最大値）と部分倍率粒度から、分割走査領域の数を算出する（Ｓ１１０１）。本実施例では、部分倍率補正開始値が３６％であり、部分倍率粒度が３％であるので、走査領域は、２４個（３６÷３×２＝２４）に分割される。よって、分割走査領域の数は、２４個である。次に、分割走査領域に従って１画素のビットデータへ挿入（追加）または抜去（削除）するビットデータの数（以下、ビットデータ挿抜数という）を、部分倍率粒度に基づいて算出する（Ｓ１１０２）。
【００３７】
ここで、図１２を用いて、分割走査領域に従ってそれぞれの画素に対するビットデータ挿抜の動作を説明する。ビットデータ挿抜の動作は、ビットデータ制御部１２０により制御される。図１２は、ビットデータ挿抜の動作の説明図である。２４個の分割走査領域のそれぞれに応じてビットデータ挿抜パターンが設定される。ビットデータ挿抜パターンは、１画素の３２個のビットデータに従って設定されるビットデータ挿抜数（部分倍率補正データ）とビットデータ挿抜位置（ビットデータの位置情報）を含む。ビットデータ挿抜パターンは、ビットデータ挿抜変換テーブル１２１により生成される。図１２（ａ）は、分割走査領域に対するビットデータ挿抜数とビットデータ挿抜位置を示す表である。分割走査領域ごとにビットデータ挿抜数とビットデータ挿抜位置が設定される。図１２（ａ）に示す例において、分割走査領域２に対しては、ビットデータ挿抜数は２、ビットデータ挿抜位置は４である。ビットデータ挿抜位置は、１画素の３２個のビットデータの左から順に番号が割り当てられている。また、分割走査領域１２に対しては、ビットデータ挿抜数は１０、ビットデータ挿抜位置は８／１６／２４である。また、分割走査領域２３に対しては、ビットデータ挿抜数は２、ビットデータ挿抜位置は２８である。
【００３８】
図１２（ｂ）は、ビットデータ挿入前後のドットを示す図である。ここでは、走査領域の端部（最軸外像高）の画素のドットの走査長を基準として、１画素あたりの走査長が略同じになるように軸上像高および軸外像高の画素のそれぞれにビットデータを挿入する例を示している。図１２（ｂ）に示すように、分割走査領域２のそれぞれの画素に対しては、左から４番目のビットデータの位置へ２個のビットデータを挿入する。また、分割走査領域１２のそれぞれの画素に対しては、左から８番目のビットデータの位置へ３個のビットデータを挿入し、左から１６番目のビットデータの位置へ４個のビットデータを挿入し、左から２４番目のビットデータの位置へ３個のビットデータを挿入する。また、分割走査領域２３のそれぞれの画素に対しては、左から２８番目のビットデータの位置へ２個のビットデータを挿入する。ビットデータ挿抜パターンは、ビットデータ挿抜変換テーブル１２１に設定される。
【００３９】
本実施例においては、走査領域の端部（最軸外像高）の画素のドットの走査長を基準としているので、図１２（ａ）に示す表では、分割走査領域ごとにビットデータを挿入する数とビットデータを挿入する位置が設定されている。しかし、走査領域の中央（軸上像高）の画素のドットの走査長を基準とした場合、分割走査領域ごとにビットデータを抜去する数およびビットデータを抜去する位置をビットデータ挿抜変換テーブル１２１に設定してもよい。また、走査領域の端部（最軸外像高）と中央（軸上像高）の間の所定の位置（軸外像高）の画素のドットの走査長を基準としてもよい。その場合、分割走査領域ごとにビットデータを挿入または抜去する数および位置をビットデータ挿抜変換テーブル１２１に設定してもよい。なお、図１２（ａ）に示す表は、予めビットデータ挿抜変換テーブル１２１に設定されていてもよい。
【００４０】
分割走査領域ごとにビットデータ挿抜パターンを設定しない従来の技術においては、３２個のビットデータからなる１画素に対してビットデータを挿抜するために、１画素当たり３２ビットが必要となる。これに対して、本実施例によれば、部分倍率粒度によりビットデータ挿抜数とビットデータ挿抜位置が予め決まるので、ビットデータ挿抜数１０までの３ビットとビットデータ挿抜位置３箇所までの２ビットの合計５ビットで足りる。これにより、ビットデータ挿抜数とビットデータ挿抜位置に必要な回路規模が削減される。
【００４１】
図１１のフローチャートへ戻る。ビットデータ挿抜変換テーブル１２１に設定されたビットデータ挿抜数とビットデータ挿抜位置に基づいて、分割走査領域に対応したビットデータ挿抜を実行する（Ｓ１１０３）。具体的には、画像処理部１０７から入力される画像データ（パラレルデータ）をパラレル−シリアル変換部１３０によりＶＤＯ信号（シリアルデータ）１１０へ変換する際に、画像データにビットデータが挿抜される。分割走査領域に対応したビットデータ挿抜数およびビットデータ挿抜位置に基づいて、画像データの主走査方向のアドレスに対応する画素データに対してビットデータが挿抜される。主走査方向のアドレスが分割領域境界アドレスである場合（Ｓ１１０４でＹＥＳ）、現在の分割走査領域に対応するビットデータ挿抜数とビットデータ挿抜位置を次の分割走査領域に対応するビットデータ挿抜数とビットデータ挿抜位置へ変更する（Ｓ１１０５）。主走査方向のアドレスが分割領域境界アドレスではない場合（Ｓ１１０４でＮＯ）、画像データの主走査方向の次のアドレスに対応する画素データに対してビットデータ挿抜を実行する（Ｓ１１０３）。主走査方向のアドレスが最大値すなわち最終アドレスである場合（Ｓ１１０６でＹＥＳ）、処理を終了する。主走査方向のアドレスが最大値ではない場合（Ｓ１１０６でＮＯ）、分割走査領域に対応したビットデータ挿抜数およびビットデータ挿抜位置に基づいて、主走査方向のアドレスに対応する画素データに対してビットデータ挿抜を実行する（Ｓ１１０３）。
【００４２】
本実施例によれば、倍率補正データを示すプロファイル、部分倍率補正開始値および部分倍率粒度に基づいて分割領域境界アドレスを算出することにより、回路規模を抑制することが可能である。算出された分割領域境界アドレスと分割走査領域のビットデータ挿抜パターンとにより主走査方向における各画素の走査長を略同じにして適切な画像を形成することができる。
【００４３】
＜＜第二の実施例＞＞
次に、第二の実施例を説明する。第二の実施例において、第一の実施例と同様の構造には同様の参照符号を付して説明を省略する。第二の実施例の画像形成装置９、光走査装置４００、結像レンズ４０６、露光制御システム３０１及び画像信号生成部１００は、第一の実施例と同様であるので説明を省略する。第一の実施例において、画像形成装置９は、一つの固有のプロファイルを有する。ここで、プロファイルは、図３に示すような像高に対する部分倍率の情報である。第二の実施例において、画像形成装置９は、複数の固有のプロファイルを有する。例えば、回転多面鏡４０５の複数の反射面４０５ａにそれぞれ対応して複数のプロファイルが設けられている。第二の実施例は、複数のプロファイルのそれぞれに対して分割領域境界アドレスを算出する点で、第一の実施例と異なる。以下、第一の実施例と異なる点を主に説明する。
【００４４】
図１３を用いて、第二の実施例による分割領域境界アドレスの算出動作を説明する。図１３は、第二の実施例による分割領域境界アドレスの算出動作を示すフローチャートである。画像形成装置が起動されると（Ｓ１３０１）、画像信号生成部１００は、制御部１に複数のプロファイルを一つずつ順に要求する（Ｓ１３０２）。画像信号生成部１００が一つのプロファイルを受信すると（Ｓ１３０３でＹＥＳ）、受信したプロファイルから部分倍率補正値開始値すなわち部分倍率の最大値を抽出する（Ｓ１３０４）。次に、画像信号生成部１００は、部分倍率粒度格納部１２２に格納された部分倍率粒度と部分倍率補正開始値に基づいて、主走査位置における部分倍率粒度ごとに分割領域境界アドレスを算出する（Ｓ１３０５）。次に、複数のプロファイルをすべて受信したか否かを確認する（Ｓ１３０６）。すべてのプロファイルを受信していない場合（Ｓ１３０６でＮＯ）、制御部１に次のプロファイルを要求する（Ｓ１３０２）。以下、同様に、次のプロファイルの受信および分割領域境界アドレスの算出を行う。すべてのプロファイルを受信した場合（Ｓ１３０６でＹＥＳ）、処理を終了する。
【００４５】
以上より、複数のプロファイルが設けられている場合においても、各プロファイルの部分倍率補正開始値および部分倍率粒度に基づいて分割領域境界アドレスを算出することにより、回路規模を抑制することが可能である。
【符号の説明】
【００４６】
９・・・画像形成装置
１００・・・画像信号生成部
１２２・・・部分倍率粒度格納部（第二の記憶部）
３０４・・・メモリ（第一の記憶部）
４０１・・・光源
４０５・・・回転多面鏡（偏向装置）
４０６・・・結像レンズ
【図１】
2018086781.tif 000006
【図２】
2018086781.tif 000007
【図３】
2018086781.tif 000008
【図４】
2018086781.tif 000009
【図５】
2018086781.tif 000010
【図６】
2018086781.tif 000011
【図７】
2018086781.tif 000012
【図８】
2018086781.tif 000013
【図９】
2018086781.tif 000014
【図１０】
2018086781.tif 000015
【図１１】
2018086781.tif 000016
【図１２】
2018086781.tif 000017
【図１３】
2018086781.tif 000018